(57)【要約】【課題】  本発明は、動作モードの切り換えを行うスイッチ装置と、動作モード毎に異なる機能を割り当てられているスイッチ装置とを兼用することができ、機能表記によってどの機能が割り当てられているかを簡単に理解することができるスイッチ装置を提供することを課題とする。【解決手段】  把持部１２を回転操作することにより、カバー１、操作板２およびスイッチ板３が一体で回転し、第１端子４２と第２端子４３とが導通された状態と、第１端子４２と第３端子４４とが導通された状態とに切り替えることができる。従って、本実施の形態のスイッチ装置をビデオカメラ等の電子機器に配設した場合には、第１端子４２、第２端子４３および第３端子４４の導通状態を検出することによって動作モードを切り替えることができ、各押釦スイッチ３２に割り当てた機能を動作モードに応じて変更することができる。【選択図】        図２
2005276450.tif 000002
【特許請求の範囲】
【請求項１】
電子機器に配設されるスイッチ装置であって、
円板の上面に、当該円板の軸心を中心とする円上の所定の配設角度毎に配設された複数のスイッチと、
前記円板の回転に伴って導通状態が変化する端子とを具備することを特徴とするスイッチ装置。
【請求項２】
前記円板を前記スイッチの配設角度の１／２の角度回転させることにより、前記端子の導通状態が変化することを特徴とする請求項１記載のスイッチ装置。
【発明の詳細な説明】
【技術分野】
【０００１】
本発明は、ビデオカメラ等の電子機器に配設されるスイッチ装置に関し、特に複数の動作モードを有するビデオカメラ等の電子機器に配設されるスイッチ装置に関する。
【背景技術】
【０００２】
近年、ビデオカメラ等の電子機器は、携帯性を良くするために小型化され、スイッチ装置を配設することができるスペースが限られたものとなってきている。そこで、１つのスイッチ装置に動作モード毎に異なる機能を割り当てることが行われている（例えば、特許文献１参照）。
【０００３】
しかしながら、従来技術では、動作モードの切り換えを行うスイッチ装置を必ず設ける必要があると共に、動作モード毎に異なる機能を割り当てられているスイッチ装置においては、機能表記が複数並列して印刷されており、いちいち動作モードを確認しなければどの機能が割り当てられているかを理解することができないという問題点があった。
【特許文献１】特開２００１−３４３６８０号公報
【発明の開示】
【発明が解決しようとする課題】
【０００４】
本発明は斯かる問題点を鑑みてなされたものであり、その目的とするところは、動作モードの切り換えを行うスイッチ装置と、動作モード毎に異なる機能を割り当てられているスイッチ装置とを兼用することができ、機能表記によってどの機能が割り当てられているかを簡単に理解することができるスイッチ装置を提供する点にある。
【課題を解決するための手段】
【０００５】
本発明は上記課題を解決すべく、以下に掲げる構成とした。
本発明のスイッチ装置は、電子機器に配設されるスイッチ装置であって、円板の上面に、当該円板の軸心を中心とする円上の所定の配設角度毎に配設された複数のスイッチと、前記円板の回転に伴って導通状態が変化する端子とを具備することを特徴とする。
【０００６】
さらに、本発明のスイッチ装置は、前記円板を前記スイッチの配設角度の１／２の角度回転させることにより、前記端子の導通状態が変化することを特徴とする。
【発明の効果】
【０００７】
本発明のスイッチ装置は、円板の上面に、当該円板の軸心を中心とする円上の所定の配設角度毎に配設された複数のスイッチを設け、円板の回転に伴って動作モードの切り換えを行うことができるように構成することにより、動作モードの切り換えを行うスイッチ装置と、動作モード毎に異なる機能を割り当てられているスイッチ装置とを兼用することができるという効果を奏する。
【０００８】
さらに、本発明のスイッチ装置は、円板をスイッチの配設角度の１／２の角度回転させることで、動作モードの切り換えを行うことができるように構成することにより、各スイッチの機能表記を単一なものにすることができるため、機能表記によってどの機能が割り当てられているかを簡単に理解することができるという効果を奏する。
【発明を実施するための最良の形態】
【０００９】
以下、本発明の実施の形態を図面に基づいて詳細に説明する。
【００１０】
図１は、本発明のスイッチ装置の実施の形態の構成を示す平面図であり、図２は、本発明のスイッチ装置の実施の形態の構成を示す分解斜視図であり、図３は、図２に示すブラシの構成を示す図である。
【００１１】
本実施の形態のスイッチ装置は、図１および図２を参照すると、カバー１と、操作板２と、スイッチ板３と、端子部４とからなり、カバー１、操作板２およびスイッチ板３が重ね合わされた状態で図示しない回転軸に取り付けられ、端子部４に嵌装されている。
【００１２】
スイッチ板３は、円板３１と、円板３１の上面に配設された複数の押釦スイッチ３２と、円板３１の下面に配設された第１ブラシ３３および第２ブラシ３４とからなる。複数の押釦スイッチ３２は、円板３１の軸心を中心とする円上の所定角度毎に配設されており、図１および図２に示す例では、各押釦スイッチ３２の配設角度は、９０度であり、９０度毎に４つの押釦スイッチ３２が配設されている。第１ブラシ３３および第２ブラシ３４は、図３に示すように、上下方向（円板３１の垂直方向）に弾力を有するように曲げ加工が施された金属片（導体）であり、円板３１の軸心を中心とする円上の対角位置にそれぞれ配設され、第１ブラシ３３と第２ブラシ３４とは、導通されている。
【００１３】
操作板２は、スイッチ板３の基体と略同一径の円板状であり、スイッチ板３の４つの押釦スイッチ３２をそれぞれ押圧する操作ツマミ２１が形成されている。
【００１４】
カバー１は、操作板２を覆う円板状のカバーであり、操作板２に形成されている操作ツマミ２１に対向する位置に開口１１が形成されていると共に、カバー１、操作板２およびスイッチ板３を回転操作するための把持部１２が形成されている。
【００１５】
端子部４は、円筒部４１を基体として、円筒部４１の外周には、第１端子４２、第２端子４３および第３端子４４が延出してそれぞれ設けられており、円筒部４１の内周には、第１端子４２に導通している第１係合片４５と、第２端子４３に導通している第２係合片４６と、第３端子４４に導通している第３係合片４７がそれぞれ設けられている。
【００１６】
第１係合片４５は、端子部４に嵌装されたスイッチ板３の第１ブラシ３３と係合する部材であり、第１ブラシ３３が嵌る第１切り欠き部４９および第２切り欠き部５０が形成されている。第１係合片４５に形成された第１切り欠き部４９および第２切り欠き部５０は、カバー１、操作板２およびスイッチ板３を回転操作した際に、クリック感を与えるために形成されている。第２係合片４６および第３係合片４７は、端子部４に嵌装されたスイッチ板３の第２ブラシ３４と係合する部材であり、第２係合片４６と第３係合片４７との間には、不導体部４８が設けられている。
【００１７】
カバー１、操作板２およびスイッチ板３は、図示しない回転軸に取り付けられた状態で一体化されており、把持部１２を回転操作することにより、カバー１、操作板２およびスイッチ板３が一体で回転する。
【００１８】
スイッチ板３の第１ブラシ３３は、動作モード選択時には、第１係合片４５の第１切り欠き部４９もしくは第２切り欠き部５０のいずれか一方に嵌っている。第１ブラシ３３が第１係合片４５の第１切り欠き部４９に嵌っている状態では、スイッチ板３の第２ブラシ３４は、第２係合片４６と係合された状態になっており、第１端子４２と第２端子４３とが導通される。この状態からスイッチ板３を時計回りに回転させると、スイッチ板３の第１ブラシ３３は、第１係合片４５上を第２切り欠き部５０に嵌るまで摺動すると共に、スイッチ板３の第２ブラシ３４は、不導体部４８を越えて第３係合片４７まで摺動される。第１ブラシ３３が第１係合片４５の第２切り欠き部５０に嵌っている状態では、スイッチ板３の第２ブラシ３４は、第３係合片４７と係合された状態になっており、第１端子４２と第３端子４４とが導通される。
【００１９】
なお、第１ブラシ３３が第１係合片４５の第１切り欠き部４９から第２切り欠き部５０に至るまでの、すなわち動作モードを切り換えるためのスイッチ板３の回転角度は、押釦スイッチ３２の配設角度の１／２に設定されており、本実施の形態では、押釦スイッチ３２の配設角度が９０度であるため、４５度に設定されている。
【００２０】
このように、カバー１、操作板２およびスイッチ板３が一体で回転し、第１端子４２と第２端子４３とが導通された状態と、第１端子４２と第３端子４４とが導通された状態とに切り替えることができる。従って、本実施の形態のスイッチ装置をビデオカメラ等の電子機器に配設した場合には、第１端子４２、第２端子４３および第３端子４４の導通状態を検出することによって動作モードを切り替えることができ、各押釦スイッチ３２に割り当てた機能を動作モードに応じて変更することができる。
【００２１】
なお、図１には、ビデオカメラに本実施の形態のスイッチ装置が配設された例が示されており、カバー１、操作板２およびスイッチ板３の回転操作によって、動作モードがカメラモードとビデオモードとに切り替え可能になっている。すなわち、図１（ａ）に示すカメラモードから、カバー１、操作板２およびスイッチ板３を各押釦スイッチ３２の配設角度（９０度）の１／２の角度（４５度）時計回りに回転させることにより、動作モードが、図１（ｂ）に示すビデオモードに切り替えられ、各押釦スイッチ３２に割り当てられている機能が切り替わる。
【００２２】
動作モードを切り換えるためのスイッチ板３の回転角度が、押釦スイッチ３２の配設角度の１／２に設定されているため、図１に示すように、カメラモードとビデオモードのいずれの場合においても、スイッチの機能を説明する機能表記が単一となり、どの機能が割り当てられているかを簡単に理解することができる。
【００２３】
以上説明したように、本実施の形態によれば、スイッチ板３の上面に、スイッチ板３の軸心を中心とする円上の所定の配設角度毎に配設された複数の押釦スイッチ３２を設け、円板の回転に伴って動作モードの切り換えを行うことができるように構成することにより、動作モードの切り換えを行うスイッチ装置と、動作モード毎に異なる機能を割り当てられているスイッチ装置とを兼用することができるという効果を奏する。
【００２４】
さらに、本実施の形態によれば、スイッチ板３を押釦スイッチ３２の配設角度の１／２の角度回転させることで、動作モードの切り換えを行うことができるように構成することにより、各押釦スイッチ３２の機能表記を単一なものにすることができるため、機能表記によってどの機能が割り当てられているかを簡単に理解することができるという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２６】
【図１】本発明のスイッチ装置の実施の形態の構成を示す平面図である。
【図２】本発明のスイッチ装置の実施の形態の構成を示す分解斜視図である。
【図３】図２に示すブラシの構成を示す図である。
【符号の説明】
【００２７】
１  カバー
２  操作板
３  スイッチ板
４  端子部
１１  開口
１２  把持部
２１  操作ツマミ
３１  円板
３２  押釦スイッチ
３３  第１ブラシ
３４  第２ブラシ
４１  円筒部
４２  第１端子
４３  第２端子
４４  第３端子
４５  第１係合片
４６  第２係合片
４７  第３係合片
４８  不導体部
４９  第１切り欠き部
５０  第２切り欠き部
【図１】
2005276450.tif 000003
【図２】
2005276450.tif 000004
【図３】
2005276450.tif 000005